(57)【要約】【課題】センサデータを用いて動的に間欠待ち受け周期を変更することが可能な通信装置を提供する。【解決手段】外部との無線通信を実行する無線通信部と、センサ群から出力されるセンシングデータを含んだ環境情報を取得し、前記環境情報に基づいて前記無線通信部による外部との無線通信の間隔を動的に制御する制御部と、を備える、通信装置が提供される。【選択図】図３
2020170396.tif 000002
【特許請求の範囲】
【請求項１】
外部との無線通信を実行する無線通信部と、
センサ群から出力されるセンシングデータを含んだ環境情報を取得し、前記環境情報に基づいて前記無線通信部による外部との無線通信の間隔を動的に制御する制御部と、
を備える、通信装置。
【請求項２】
前記制御部は、前記センシングデータからユーザの状態を解析し、該解析の結果に基づいて前記無線通信部による外部との無線通信の間隔を動的に制御する、請求項１に記載の通信装置。
【請求項３】
前記環境情報は、位置情報を含み、
前記制御部は、前記位置情報に基づいて前記無線通信部による外部との無線通信の間隔を動的に制御する、請求項１に記載の通信装置。
【請求項４】
前記制御部は、予め定められたエリアから離れたことを前記位置情報から判定すると、前記無線通信部による外部との無線通信の間隔を、前記エリアにいる場合より短くするよう制御する、請求項３に記載の通信装置。
【請求項５】
前記環境情報は、近距離無線通信の状態に関する情報を含み、
前記制御部は、前記近距離無線通信の状態に関する情報に基づいて前記無線通信部による外部との無線通信の間隔を動的に制御する、請求項１に記載の通信装置。
【請求項６】
前記制御部は、前記近距離無線通信によって他の装置と接続中にある状態であることを前記環境情報から判定すると、前記無線通信部による外部との無線通信の間隔を、前記他の装置と接続してない場合より長くするよう制御する、請求項５に記載の通信装置。
【請求項７】
前記制御部は、ユーザの属性に応じて前記無線通信部による外部との無線通信の間隔の設定を変更する、請求項１に記載の通信装置。
【請求項８】
前記制御部は、ＰＳＭ（Power  Saving  Mode）またはｅＤＲＸ（extended  Discontinuous  Reception）を用いて、前記無線通信部による外部との無線通信の間隔の設定を変更する、請求項１に記載の通信装置。
【請求項９】
プロセッサが、
外部との無線通信を実行することと、
センサ群から出力されるセンシングデータを含んだ環境情報を取得し、前記環境情報に基づいて前記外部との無線通信の間隔を動的に制御することと、
を含む、通信制御方法。
【請求項１０】
コンピュータに、
外部との無線通信を実行することと、
センサ群から出力されるセンシングデータを含んだ環境情報を取得し、前記環境情報に基づいて前記外部との無線通信の間隔を動的に制御することと、
を実行させる、コンピュータプログラム。
【発明の詳細な説明】
【技術分野】
【０００１】
本開示は、通信装置、通信制御方法及びコンピュータプログラムに関する。
【背景技術】
【０００２】
昨今では、無線通信機能を備えた通信装置の小型化、軽量化が進んでいる。無線通信機能を備えた通信装置を小型化、軽量化しようとすると、搭載するバッテリの容量を増やすことが出来ない。従って、小型で軽量な通信装置は、連続使用時間を長時間化するために、消費電力を下げることが重要となる。例えば特許文献１には、位置関係が所定の条件を満たした場合には間欠待ち受け周期を長くすることで、消費電力を削減して連続使用時間を長時間化することを目的とした携帯電話機の技術が開示されている。
【先行技術文献】
【特許文献】
【０００３】
【特許文献１】特開２０１１−２３７７９号公報
【発明の概要】
【発明が解決しようとする課題】
【０００４】
上述したように、小型で軽量な通信装置は、連続使用時間を長時間化するために、消費電力をさらに下げることが重要となる。一方で、単に間欠待ち受け周期を長くしてしまうと、データ受信をタイムリーに行うことができない。【０００５】
そこで、本開示では、センサデータを用いて動的に間欠待ち受け周期を変更することが可能な、新規かつ改良された通信装置、通信制御方法及びコンピュータプログラムを提案する。
【課題を解決するための手段】
【０００６】
本開示によれば、外部との無線通信を実行する無線通信部と、センサ群から出力されるセンシングデータを含んだ環境情報を取得し、前記環境情報に基づいて前記無線通信部による外部との無線通信の間隔を動的に制御する制御部と、を備える、通信装置が提供される。【０００７】
また本開示によれば、プロセッサが、外部との無線通信を実行することと、センサ群から出力されるセンシングデータを含んだ環境情報を取得し、前記環境情報に基づいて前記外部との無線通信の間隔を動的に制御することと、を含む、通信制御方法が提供される。【０００８】
また本開示によれば、コンピュータに、外部との無線通信を実行することと、センサ群から出力されるセンシングデータを含んだ環境情報を取得し、前記環境情報に基づいて前記外部との無線通信の間隔を動的に制御することと、を実行させる、コンピュータプログラムが提供される。
【図面の簡単な説明】
【０００９】
【図１Ａ】本開示の実施の形態に係る通信装置１００の外観例を示す説明図である。
【図１Ｂ】本開示の実施の形態に係る通信装置１００の外観例を示す説明図である。
【図１Ｃ】本開示の実施の形態に係る通信装置１００の外観例を示す説明図である。
【図１Ｄ】本開示の実施の形態に係る通信装置１００の外観例を示す説明図である。
【図１Ｅ】本開示の実施の形態に係る通信装置１００の外観例を示す説明図である。
【図１Ｆ】本開示の実施の形態に係る通信装置１００の外観例を示す説明図である。
【図２Ａ】本開示の実施の形態に係る通信装置１００の外観例を示す説明図である。
【図２Ｂ】本開示の実施の形態に係る通信装置１００の外観例を示す説明図である。
【図２Ｃ】本開示の実施の形態に係る通信装置１００の外観例を示す説明図である。
【図２Ｄ】本開示の実施の形態に係る通信装置１００の外観例を示す説明図である。
【図２Ｅ】本開示の実施の形態に係る通信装置１００の外観例を示す説明図である。
【図３】本開示の実施の形態に係る通信装置１００の構成例を示す説明図である。
【図４】本開示の実施の形態に係る通信装置１００の動作例を示す流れ図である。
【図５Ａ】本開示の実施の形態に係る通信装置１００のユースケース例を示す説明図である。
【図５Ｂ】本開示の実施の形態に係る通信装置１００のユースケース例を示す説明図である。
【発明を実施するための形態】
【００１０】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１１】
なお、説明は以下の順序で行うものとする。
１．本開示の実施の形態
１．１．通信装置の外観例
１．２．通信装置の構成例
１．３．通信装置の動作例
２．まとめ
【００１２】
＜１．本開示の実施の形態＞
［１．１．通信装置の外観例］
まず、図面を参照しながら、本開示の実施の形態に係る通信装置の外観例を説明する。図１Ａ〜１Ｆは、本開示の実施の形態に係る通信装置１００の外観例を示す説明図である。図１Ａ〜１Ｆに示した通信装置１００は、セルラ通信機能を有する小型の無線通信装置であり、内部にはセンサを搭載する。通信装置１００が搭載するセンサは、加速度センサ、ジャイロセンサ、電子コンパス、大気圧センサ、湿度センサ、温度センサ、位置情報センサ、心拍センサ、マイクロホン、等を含みうる。なお、ここで列挙したセンサは一例であり、通信装置１００は、これらのセンサ以外のセンサを備えていても良いし、これらのセンサの全てを備えていなくても良い。
【００１３】
本開示の実施の形態に係る通信装置１００は、例えば、子供や高齢者などのユーザに所持させて、所持させたユーザの行動を見守ることを想定した装置である。従って本開示の実施の形態に係る通信装置１００は、そのようなユーザに所持させても負担とならないように、小型かつ軽量の装置として形成されている。
【００１４】
図１Ａは、本開示の実施の形態に係る通信装置１００の正面図である。図１Ｂは、本開示の実施の形態に係る通信装置１００の背面図である。図１Ｃは、本開示の実施の形態に係る通信装置１００の左側面図である。図１Ｄは、本開示の実施の形態に係る通信装置１００の右側面図である。図１Ｅは、本開示の実施の形態に係る通信装置１００の天面図である。図１Ｆは、本開示の実施の形態に係る通信装置１００の底面図である。
【００１５】
通信装置１００は、メインボタン１０１、ＬＥＤインジケータ１０２、マイクホール１０３、音量操作ボタン１０４、ストラップホール１０５、スピーカ１０６、ＵＳＢコネクタ１０７を備える。
【００１６】
メインボタン１０１は、通信装置１００の電源のオン、オフを行うためのボタンである。ＬＥＤインジケータ１０２は、通信装置１００の状態を示すためのインジケータであり、バッテリの残量、セルラ通信のための電波の強度、位置情報センサによるセンシングの有無を示している。
【００１７】
マイクホール１０３は、通信装置１００の内部に搭載されるマイクが音を集音するための穴である。なお、本実施形態では、マイクホール１０３は、通信装置１００の内部に搭載される温度センサのための穴を兼ねている。
【００１８】
音量操作ボタン１０４は、通信装置１００が出力する音の大きさを操作するためのボタンである。ストラップホール１０５は、通信装置１００にストラップを取り付けるための穴である。スピーカ１０６は、通信装置１００からの音を出力する。ＵＳＢコネクタ１０７は、通信装置１００にＵＳＢケーブルを接続したり、外付けのデバイスを接続したりするためのコネクタである。本実施形態では、ＵＳＢコネクタ１０７はＵＳＢ  Ｔｙｐｅ  Ｃに準拠したものである。
【００１９】
通信装置１００に接続できる外付けのデバイスとしては、カメラ、プロジェクタ、イヤホンジャック変換ケーブル、二次電池を内蔵したバッテリ、太陽光などで発電するソーラーバッテリ、などがあり得る。図２Ａ〜２Ｅは、通信装置１００に外付けのデバイスとしてカメラ２００が接続された状態を示す説明図である。図２Ａは、本開示の実施の形態に係る通信装置１００にカメラ２００が接続された状態の正面図である。図２Ｂは、本開示の実施の形態に係る通信装置１００にカメラ２００が接続された状態の背面図である。図２Ｃは、本開示の実施の形態に係る通信装置１００にカメラ２００が接続された状態の左側面図である。図２Ｄは、本開示の実施の形態に係る通信装置１００にカメラ２００が接続された状態の右側面図である。図２Ｅは、本開示の実施の形態に係る通信装置１００にカメラ２００が接続された状態の底面図である。
【００２０】
［１．２．通信装置の構成例］
続いて、本開示の実施の形態に係る通信装置１００の構成例について説明する。図３は、本開示の実施の形態に係る通信装置１００の構成例を示す説明図である。以下、図３を用いて本開示の実施の形態に係る通信装置１００の構成例について説明する。
【００２１】
図３に示したように、本開示の実施の形態に係る通信装置１００は、プロセッサ１１０と、センサ群１２０と、近距離無線通信部１３０と、セルラ通信部１４０と、記憶部１５０と、バッテリ１６０と、を含んで構成される。
【００２２】
プロセッサ１１０は、通信装置１００の動作を制御するためのハードウェアである。本実施形態では、プロセッサ１１０の機能として、制御部１１１と、ＧＰＳモジュール１１２と、が含まれる。
【００２３】
制御部１１１は、通信装置１００の動作を制御する。具体的には、本実施形態では、制御部１１１は、環境情報、例えば、センサ群１２０から送られるセンシングデータや、ＧＰＳモジュール１１２が検出した位置情報、近距離無線通信部１３０による通信の状態等に応じて、セルラ通信部１４０の間欠受信動作における間欠待ち受け周期を動的に変更する動作を実行する。具体的には、制御部１１１は、センシングデータや位置情報、近距離無線通信部１３０による通信の状態等の環境情報を用いて、通信装置１００を所持しているユーザがどのような状態にあるのかを解析する。そして制御部１１１は、その解析の結果を用いて、セルラ通信部１４０の間欠受信動作における間欠待ち受け周期を動的に変更する動作を実行する。
【００２４】
具体的なユースケースについては後述するが、例えば、センシングデータや位置情報等から、通信装置１００のユーザが自宅にいることが分かれば、制御部１１１は、セルラ通信部１４０の動作をＰＳＭ（Power  Saving  Mode）に設定したり、ｅＤＲＸ（extended  Discontinuous  Reception）に設定したりすることで通信間隔を長く設定することができる。また例えば、センシングデータや位置情報等から、通信装置１００のユーザが学校にいることが分かれば、制御部１１１は、セルラ通信部１４０の動作をｅＤＲＸに設定した上で通信間隔を自宅にいる場合より短く設定する。
【００２５】
ここで、位置情報からセルラ通信部１４０の動作を動的に変更するためには、予め、自宅や学校などのユーザがいる可能性が高い場所の情報が予め記憶部１５０に記憶されていてもよい。また、機械学習などによって、平日の日中の時間帯に最も多く位置している場所が学校であり、それ以外の時間帯において最も多く位置している場所がユーザの自宅であると制御部１１１が判定しても良い。
【００２６】
ＧＰＳモジュール１１２は、通信装置１００の現在位置を取得するための位置情報センサである。なお、ＧＰＳモジュール１１２による位置情報の取得が行われている間は、ＬＥＤインジケータ１０２のうち、位置情報を取得中であることを示すランプが点灯する。
【００２７】
センサ群１２０は、上述する加速度センサ、ジャイロセンサ、電子コンパス、大気圧センサ、湿度センサ、温度センサ、心拍センサ、マイクロホン、等で構成される。センサ群１２０を構成するそれぞれのセンサで得られたセンシングデータはプロセッサ１１０に送られる。
【００２８】
近距離無線通信部１３０は、Wi-FiやBluetooth（登録商標）、ＮＦＣ（Near  Field  Communication）等の近距離での無線通信を実行するモジュールで構成される。上述したように、近距離無線通信部１３０による通信の状態も、セルラ通信部１４０の間欠受信動作における間欠待ち受け周期の変更に用いられる。
【００２９】
セルラ通信部１４０は、ＬＴＥ（Long  Term  Evolution）や後継のいわゆる５Ｇ（第５世代移動通信システム、5th  Generation）の規格での無線通信を実行するモジュールで構成される。セルラ通信部１４０は、上述のＰＳＭやｅＤＲＸといった低消費電力での無線通信を実行することが出来る機能を有する。
【００３０】
記憶部１５０は、各種のメモリモジュールで構成され、通信装置１００を動作させるためのコンピュータプログラムや設定情報などを記憶する。記憶部１５０が記憶する設定情報には、例えば、通信装置１００を所持しているユーザがどのような状態にあれば、セルラ通信部１４０をどの状態に設定するか、についての情報が含まれていても良い。また記憶部１５０には、センサ群１２０から送られるセンサデータが一時的に格納されていても良い。
【００３１】
バッテリ１６０は、リチウムイオン二次電池等の充電可能なバッテリで構成される。本開示の実施の形態に係る通信装置１００は、上述したように、子供や高齢者などのユーザに所持させて、所持させたユーザの行動を見守ることを想定した装置である。従って、通信装置１００に搭載されるバッテリ１６０も小型のものが求められる。従って、バッテリ１６０の容量を大きくすることは難しい。従って、本開示の実施の形態に係る通信装置１００は、必要に応じてセルラ通信部１４０の消費電力を抑えるための制御を実行する。
【００３２】
制御部１１１は、通信装置１００を所持しているユーザの状態に応じて、セルラ通信部１４０の動作を動的に制御する際に、バッテリ１６０のＳＯＣ（State  of  Charge）の状態も考慮しても良い。すなわち、制御部１１１は、ユーザの状態が同じであっても、バッテリ１６０のＳＯＣが所定の閾値未満であれば、間欠待ち受け周期をより長くするようにしてもよい。
【００３３】
以上、図３を用いて本開示の実施の形態に係る通信装置１００の構成例について説明した。続いて、本開示の実施の形態に係る通信装置１００の動作例について説明する。
【００３４】
［１．３．通信装置の動作例］
図４は、本開示の実施の形態に係る通信装置１００の動作例を示す流れ図である。図４に示したのは、セルラ通信部１４０の消費電力を抑えるための制御を実行する際の通信装置１００の動作例である。以下、図４を用いて本開示の実施の形態に係る通信装置１００の動作例について説明する。
【００３５】
本開示の実施の形態に係る通信装置１００は、センサデータを取得する（ステップＳ１０１）。ここでのセンサデータは、センサ群１２０や、近距離無線通信部１３０から送られる。またセンサデータとして、バッテリ１６０のＳＯＣの状態が取得されても良い。
【００３６】
続いて、本開示の実施の形態に係る通信装置１００は、取得したセンサデータに基づいた行動の解析を実行する（ステップＳ１０２）。このステップＳ１０２の処理は、制御部１１１が実行しうる。
【００３７】
続いて、本開示の実施の形態に係る通信装置１００は、解析の結果に基づいた、セルラ通信部１４０による通信のインターバル区間の変更を実行する（ステップＳ１０３）。このステップＳ１０３の処理は、制御部１１１が実行しうる。
【００３８】
本開示の実施の形態に係る通信装置１００は、このような動作を実行することで、センサデータに基づいてセルラ通信部１４０による通信のインターバル区間を動的に変更することが出来る。
【００３９】
ここで、本開示の実施の形態に係る通信装置１００のユースケース例を示す。図５Ａ、５Ｂは、本開示の実施の形態に係る通信装置１００のユースケース例を示す説明図である。ここで示したのは、子供に通信装置１００を持たせ、その子供の行動を親が見守る場合におけるユースケース例である。この場合、通信装置１００のユーザはその見守り対象の子供となる。
【００４０】
６時半になると子供が起床する。通信装置１００は、Bluetoothで親のスマートフォンと接続状態にある。また通信装置１００は、ＧＰＳモジュール１１２によって子供の自宅にいることを判定する。またその時点では、通信装置１００は、子供は行動せずに留まっている（Stay）ことを、センサデータの解析により判定する。従って、通信装置１００は、セルラ通信部１４０のモードをＰＳＭに設定し、セルラ通信部１４０の電力消費を抑える。
【００４１】
７時になると子供が朝食を食べる。通信装置１００は、Bluetoothで親のスマートフォンと接続状態にある。また通信装置１００は、ＧＰＳモジュール１１２によって子供の自宅にいることを判定する。またその時点では、通信装置１００は、子供は多少の動きはあるが基本的にその場に留まっている（Stay  acc）ことを、センサデータの解析により判定する。従って、通信装置１００は、セルラ通信部１４０のモードをＰＳＭに設定し、セルラ通信部１４０の電力消費を抑える。
【００４２】
８時になると子供は自宅を離れて父親と一緒に学校へ登校する。通信装置１００は、Bluetoothで親のスマートフォンと非接続状態にある。またその時点では、通信装置１００は、電車に乗っていることを、センサデータの解析により判定する。従って、通信装置１００は、セルラ通信部１４０のモードを通常（Connected）に設定する。
【００４３】
８時半になると子供は学校に到着し、授業を受ける。通信装置１００は、Bluetoothで親のスマートフォンと非接続状態にある。また通信装置１００は、ＧＰＳモジュール１１２によって学校にいることを判定する。またその時点では、通信装置１００は、子供は多少の動きはあるが基本的にその場に留まっている（Stay  acc）ことを、センサデータの解析により判定する。従って、通信装置１００は、セルラ通信部１４０のモードをｅＤＲＸに設定し、間欠待ち受け周期を中程度（mid）に設定する。
【００４４】
１１時半になると子供は学校を離れ、ピクニックに出掛けた。通信装置１００は、Bluetoothで親のスマートフォンと非接続状態にある。また通信装置１００は、ＧＰＳモジュール１１２によって公園にいることを判定する。またその時点では、通信装置１００は、子供は歩いている（Walk）ことを、センサデータの解析により判定する。従って、通信装置１００は、セルラ通信部１４０のモードを通常の通信状態（Connected）に設定する。
【００４５】
１４時になると子供は再び学校に戻り、授業を受ける。通信装置１００は、Bluetoothで親のスマートフォンと非接続状態にある。また通信装置１００は、ＧＰＳモジュール１１２によって学校にいることを判定する。またその時点では、通信装置１００は、子供は多少の動きはあるが基本的にその場に留まっている（Stay  acc）ことを、センサデータの解析により判定する。従って、通信装置１００は、セルラ通信部１４０のモードをｅＤＲＸに設定し、間欠待ち受け周期を短程度（short）に設定する。
【００４６】
１６時になると子供は授業が終わったが、学校に残って活動をする。通信装置１００は、Bluetoothで親のスマートフォンと非接続状態にある。また通信装置１００は、ＧＰＳモジュール１１２によって学校にいることを判定する。またその時点では、通信装置１００は、子供は歩いている（Walk）ことを、センサデータの解析により判定する。従って、通信装置１００は、セルラ通信部１４０のモードをｅＤＲＸに設定し、間欠待ち受け周期を短程度（short）に設定する。
【００４７】
１８時になると、父親が学校に車で子供を迎えに来る。通信装置１００は、Bluetoothで親のスマートフォンと非接続状態にある。またその時点では、通信装置１００は、車に乗っていることを、センサデータの解析により判定する。従って、通信装置１００は、セルラ通信部１４０のモードを通常の通信状態（Connected）に設定する。
【００４８】
１８時半になると、子供は自宅に帰宅する。通信装置１００は、Bluetoothで親のスマートフォンと接続状態にある。また通信装置１００は、ＧＰＳモジュール１１２によって子供の自宅にいることを判定する。またその時点では、通信装置１００は、子供は多少の動きはあるが基本的にその場に留まっている（Stay  acc）ことを、センサデータの解析により判定する。従って、通信装置１００は、セルラ通信部１４０のモードをｅＤＲＸに設定し、間欠待ち受け周期を長程度（long）に設定する。
【００４９】
その後、子供は自宅で夕食をとり、読書をするなどして過ごし、２１時半になると就寝する。その間、通信装置１００を所持する子供の状態は変化しないと判断し、通信装置１００は、セルラ通信部１４０のモードをｅＤＲＸに設定し、間欠待ち受け周期を長程度（long）に設定する。
【００５０】
このように、通信装置１００を所持するのが子供である場合、通信装置１００は、ユーザが自宅や学校にいる場合は、セルラ通信部１４０の消費電力を少なくし、それ以外の場所にいる場合はセルラ通信部１４０が頻繁に受信動作を行えるように制御を行う。これにより、本開示の実施の形態に係る通信装置１００は、消費電力を全体としては抑えつつ、ユーザの行動を見守る必要が生じた場合にはタイムリーな通信動作を行うことが出来る。
【００５１】
別のユースケースを説明する。通信装置１００は高齢者の見守りにも使用されうる。このユースケースの場合、通信装置１００のユーザはその見守り対象の高齢者である。
【００５２】
通信装置１００は、センサデータや位置情報を用いた解析の結果、通信装置１００のユーザが自宅にいて安静にしている場合は、上述のユースケース例と同様に、セルラ通信部１４０の消費電力を少なくする。そして通信装置１００は、センサデータや位置情報を用いた解析の結果、通信装置１００のユーザが外出している場合は、通信装置１００は、セルラ通信部１４０の状態を通常の通信状態（Connected）に設定する。
【００５３】
通信装置１００のユーザが高齢者の場合、その高齢者が定期的に病院に通院することが考えられる。そのような場合を考慮し、通信装置１００は、センサデータや位置情報を用いた解析の結果、通信装置１００のユーザが病院にいる場合は、通信装置１００は、セルラ通信部１４０のモードをｅＤＲＸに設定し、間欠待ち受け周期を中〜長程度に設定する。通信装置１００は、ユーザが病院にいるかどうかを、位置情報に加え、または位置情報に替えて、その病院に設置されている無線ＬＡＮやBluetoothへの接続などによって判断しても良い。
【００５４】
また通信装置１００のユーザが入院している高齢者であり、その高齢者の見守りのために通信装置１００を用いる場合が考えられる。この場合、通信装置１００は、センサデータや位置情報を用いた解析の結果、通信装置１００のユーザが病棟の中にいる場合はセルラ通信部１４０のモードをＰＳＭに設定し、通信装置１００のユーザが病棟から離れている場合はセルラ通信部１４０のモードをｅＤＲＸに設定し、間欠待ち受け周期を短程度に設定する。
【００５５】
また、犬や猫などのペットの見守りや、亀や鷹などの動物の生態調査のために通信装置１００を用いる場合が考えられる。この場合、通信装置１００は、センサデータや位置情報を用いた解析の結果、通信装置１００が所定の位置にいる場合はセルラ通信部１４０のモードをＰＳＭに設定し、通信装置１００が所定の位置から離れている場合はセルラ通信部１４０のモードをｅＤＲＸに設定し、間欠待ち受け周期を中〜長程度に設定する。
【００５６】
本開示の実施の形態に係る通信装置１００は、このように、通信装置１００に備えられたセンサ群１２０が出力するセンサデータや、近距離無線通信部１３０の通信状態、ＧＰＳモジュール１１２による現在の位置情報に基づいて、セルラ通信部１４０の状態を動的に変化させる。すなわち、通信装置１００が自宅等の安全な場所にいることが分かれば、通信装置１００は、セルラ通信部１４０の消費電力を少なくできるよう、セルラ通信部１４０の状態をｅＤＲＸに設定した上で間欠待ち受け周期を長くしたり、セルラ通信部１４０の状態をＰＳＭに設定したりする。
【００５７】
このように、通信装置１００のユーザの違いによって、どのようなセンシングデータを用いるかが異なってくる。従って、制御部１１１は、通信装置１００を使用しているユーザの違いによってどのセンシングデータを優先してユーザの行動判断に使用するかを決定しても良い。また、通信装置１００のユーザの違いによって、間欠待ち受け周期を変化させる場所が異なってくる。従って、制御部１１１は、通信装置１００を使用しているユーザの違いによってどの場所であれば間欠待ち受け周期を変化させるかを決定しても良い。
【００５８】
上述のユースケース例は、通信装置１００を人間に持たせ、その持たせた人間の行動を見守るものであったが、本開示は係る例に限定されるものではない。例えば通信装置１００を倉庫から出荷する荷物や、その荷物を搭載するトラック等に装着させて、荷物やトラックなどの追跡に用いてもよい。例えば、位置情報から荷物が倉庫にいることが分かれば、通信装置１００は、セルラ通信部１４０の状態をＰＳＭに設定し、荷物が倉庫から離れて移動中であることが分かれば、通信装置１００は、セルラ通信部１４０の状態を通常の通信状態にするか、ｅＤＲＸに設定した上で間欠待ち受け周期を短程度〜中程度にするようにしてもよい。
【００５９】
また本開示の実施の形態に係る通信装置１００は、高額な荷物の見守りにも用いられ得る。荷物の持ち主のスマートフォンとの間でBluetooth接続が行われている場合は、通信装置１００は、セルラ通信部１４０のモードをＰＳＭに設定する。一方、荷物の持ち主のスマートフォンから遠ざかり、荷物の持ち主のスマートフォンとの間でBluetooth接続が行われなくなり、また位置情報が変化しているような場合は、通信装置１００は、通信装置１００は、セルラ通信部１４０の状態を通常の通信状態にするか、ｅＤＲＸに設定した上で間欠待ち受け周期を短程度にしてもよい。
【００６０】
上述したように、本開示の実施の形態に係る通信装置１００は、外付けのデバイスをＵＳＢコネクタ１０７に接続することが出来る。本開示の実施の形態に係る通信装置１００は、ＵＳＢコネクタ１０７に接続されているデバイスの種類に応じてセルラ通信部１４０の状態をｅＤＲＸに設定した上で間欠待ち受け周期を長くしたり、セルラ通信部１４０の状態をＰＳＭに設定したりしてもよい。
【００６１】
上述したように、本開示の実施の形態に係る通信装置１００は、センサ群１２０からのセンシングデータを解析することで通信装置１００のユーザの行動を解析しているが、その解析の際に、クラウドサーバに蓄積されたデータを使用しても良い。クラウドサーバに蓄積されたデータを使用することで、本開示の実施の形態に係る通信装置１００は、通信装置１００のユーザの行動をより正確に解析することが可能となる。
【００６２】
＜２．まとめ＞
以上説明したように本開示の実施の形態によれば、センシングデータや位置情報などの環境情報に基づいて、セルラ通信部１４０の間欠待ち受け周期を動的に変化させることが可能な通信装置１００が提供される。このようにセンシングデータや位置情報などの環境情報に基づいて、セルラ通信部１４０の間欠待ち受け周期を動的に変化させることで、本開示の実施の形態に係る通信装置１００は、セルラ通信部１４０電力消費量を抑えることができる。従って、本開示の実施の形態に係る通信装置１００は、小型で小容量のバッテリを内蔵でき、装置の小型化、軽量化を図ることが出来る。
【００６３】
本明細書の各装置が実行する処理における各ステップは、必ずしもシーケンス図またはフローチャートとして記載された順序に沿って時系列に処理する必要はない。例えば、各装置が実行する処理における各ステップは、フローチャートとして記載した順序と異なる順序で処理されても、並列的に処理されてもよい。
【００６４】
また、各装置に内蔵されるＣＰＵ、ＲＯＭおよびＲＡＭなどのハードウェアを、上述した各装置の構成と同等の機能を発揮させるためのコンピュータプログラムも作成可能である。また、該コンピュータプログラムを記憶させた記憶媒体も提供されることが可能である。また、機能ブロック図で示したそれぞれの機能ブロックをハードウェアで構成することで、一連の処理をハードウェアで実現することもできる。
【００６５】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００６６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００６７】
なお、以下のような構成も本開示の技術的範囲に属する。
（１）
外部との無線通信を実行する無線通信部と、
センサ群から出力されるセンシングデータを含んだ環境情報を取得し、前記環境情報に基づいて前記無線通信部による外部との無線通信の間隔を動的に制御する制御部と、
を備える、通信装置。
（２）
前記制御部は、前記センシングデータからユーザの行動を解析し、該解析の結果に基づいて前記無線通信部による外部との無線通信の間隔を動的に制御する、前記（１）に記載の通信装置。
（３）
前記環境情報は、位置情報を含み、
前記制御部は、前記位置情報に基づいて前記無線通信部による外部との無線通信の間隔を動的に制御する、前記（１）または（２）に記載の通信装置。
（４）
前記制御部は、予め定められたエリアから離れたことを前記位置情報から判定すると、前記無線通信部による外部との無線通信の間隔を、前記エリアにいる場合より短くするよう制御する、前記（３）に記載の通信装置。
（５）
前記環境情報は、近距離無線通信の状態に関する情報を含み、
前記制御部は、前記近距離無線通信の状態に関する情報に基づいて前記無線通信部による外部との無線通信の間隔を動的に制御する、前記（１）〜（４）のいずれかに記載の通信装置。
（６）
前記制御部は、前記近距離無線通信によって他の装置と接続中にある状態であることを前記環境情報から判定すると、前記無線通信部による外部との無線通信の間隔を、前記他の装置と接続してない場合より長くするよう制御する、前記（５）に記載の通信装置。
（７）
前記制御部は、ユーザの属性に応じて前記無線通信部による外部との無線通信の間隔の設定を変更する、前記（１）〜（６）のいずれかに記載の通信装置。
（８）
前記制御部は、ＰＳＭ（Power  Saving  Mode）またはｅＤＲＸ（extended  Discontinuous  Reception）を用いて、前記無線通信部による外部との無線通信の間隔の設定を変更する、前記（１）〜（７）のいずれかに記載の通信装置。
（９）
プロセッサが、
外部との無線通信を実行することと、
センサ群から出力されるセンシングデータを含んだ環境情報を取得し、前記環境情報に基づいて前記外部との無線通信の間隔を動的に制御することと、
を含む、通信制御方法。
（１０）
コンピュータに、
外部との無線通信を実行することと、
センサ群から出力されるセンシングデータを含んだ環境情報を取得し、前記環境情報に基づいて前記外部との無線通信の間隔を動的に制御することと、
を実行させる、コンピュータプログラム。
【符号の説明】
【００６８】
１００    通信装置
１０１    メインボタン
１０２    ＬＥＤインジケータ
１０３    マイクホール
１０４    音量操作ボタン
１０５    ストラップホール
１０６    スピーカ
１０７    ＵＳＢコネクタ
【図１Ａ】
2020170396.tif 000003
【図１Ｂ】
2020170396.tif 000004
【図１Ｃ】
2020170396.tif 000005
【図１Ｄ】
2020170396.tif 000006
【図１Ｅ】
2020170396.tif 000007
【図１Ｆ】
2020170396.tif 000008
【図２Ａ】
2020170396.tif 000009
【図２Ｂ】
2020170396.tif 000010
【図２Ｃ】
2020170396.tif 000011
【図２Ｄ】
2020170396.tif 000012
【図２Ｅ】
2020170396.tif 000013
【図３】
2020170396.tif 000014
【図４】
2020170396.tif 000015
【図５Ａ】
2020170396.tif 000016
【図５Ｂ】
2020170396.tif 000017
【国際調査報告】
2020170396.tif 000018
2020170396.tif 000019
2020170396.tif 000020
2020170396.tif 000021